(57)【要約】【課題】撮影状況に応じた適切な情報表示を行う。【解決手段】本開示の撮像装置は、本体と、本体に対して、表示面が背面側に向く第１の状態と表示面が前面側に向く第２の状態とに回動可能な表示部と、表示部が第２の状態である場合に、本体の傾きを認識可能に水準器を表示させると共に、所定の撮影情報を第１の状態に対して上下左右方向に反転表示させる表示制御部とを備える。【選択図】図２３
2015228537.tif 000002
【特許請求の範囲】
【請求項１】
本体と、
前記本体に対して、表示面が背面側に向く第１の状態と前記表示面が前面側に向く第２の状態とに回動可能な表示部と、
前記表示部が前記第２の状態である場合に、前記本体の傾きを認識可能に水準器を表示させると共に、所定の撮影情報を前記第１の状態に対して上下左右方向に反転表示させる表示制御部と
を備えた撮像装置。
【請求項２】
前記所定の撮影情報の表示内容を指示する操作部をさらに備え、
前記表示制御部は、前記表示内容を前記操作部の指示に応じて変化させると共に、前記第１の状態と前記第２の状態とで、前記操作部による指示状態と前記表示内容との対応関係を変化させる
請求項１に記載の撮像装置。
【請求項３】
前記操作部として、前記表示内容を操作方向によって選択可能な方向選択部を有し、
前記表示制御部は、前記表示内容を前記操作方向に応じて変化させると共に、前記第１の状態と前記第２の状態とで、前記操作方向と前記表示内容との対応関係を変化させる
請求項２に記載の撮像装置。
【請求項４】
前記方向選択部は、右回りおよび左回りに操作方向を変化させることが可能なリング状操作部である
請求項３に記載の撮像装置。
【請求項５】
前記操作部として、前記表示内容をボタン位置によって選択可能な複数の操作ボタンを有し、
前記表示制御部は、前記表示内容を前記複数の操作ボタンの操作に応じて変化させると共に、前記第１の状態と前記第２の状態とで、前記複数の操作ボタンと前記表示内容との対応関係を変化させる
請求項２に記載の撮像装置。
【請求項６】
前記所定の撮影情報の表示として、被写体のライブビュー画像の表示を含む
請求項１に記載の撮像装置。
【請求項７】
前記所定の撮影情報の表示として、アイコン状の表示を含む
請求項１に記載の撮像装置。
【請求項８】
前記本体内に収納され、使用時に前記本体の上方に突出するビューファインダーをさらに備え、
前記表示制御部は、前記表示部が前記第２の状態である場合に、前記ビューファインダーの収納状態に応じて、前記表示部の表示状態を変化させる
請求項１に記載の撮像装置。
【請求項９】
前記表示制御部は、前記表示部が前記第２の状態にあり、かつ、前記ビューファインダーが前記本体の上方に突出している状態では、前記前面側から見て前記ビューファインダーと前記表示部とが重なる部分以外の領域を前記所定の撮影情報の表示エリアにする
請求項８に記載の撮像装置。
【発明の詳細な説明】
【技術分野】
【０００１】
本開示は、小型デジタルスチルカメラ（ＤＳＣ）などに好適な撮像装置に関する。
【背景技術】
【０００２】
撮像装置では、携帯時の小型化を考慮してビューファインダーを本体に沿わせて折り畳み可能、または本体内部に収納可能としたものが提案されている（例えば、特許文献１または２参照。）。使用者はビューファインダーを手前に引き出して使用するようになっている。
【先行技術文献】
【特許文献】
【０００３】
【特許文献１】特開昭６０−１２１４３１号公報
【特許文献２】特開２００１−２６８４０２号公報
【発明の概要】
【発明が解決しようとする課題】
【０００４】
また、ビューファインダーとは別に、撮影に関する情報をアイコン状に表示したり、いわゆるライブビュー画像や撮像画像を表示したりする表示パネルを備えた撮像装置が知られている。このような撮像装置では、表示パネルが本体に対して回動可能に取り付けられたものもある。例えば、表示パネルの状態を、本体に対して、表示面が背面側に向く第１の回転状態と、表示面が前面側に向く第２の回転状態とに変化させることが可能なものが知られている。
【０００５】
このような撮像装置では、例えば、表示パネルの表示面を前面側に向けた第２の状態にすることで、撮像レンズを撮像者自身の方向に向けて撮像者自身を撮影する、いわゆる「自分撮り」を容易に行うことができる。また、近年の撮像装置では、表示パネルに電子水準器を表示させることで、装置本体の傾きが分かるようにしたものがある。表示パネルの向きを種々の態様に変化させることが可能である場合、表示パネルに表示するアイコンや電子水準器等の表示状態を撮影状況に応じて適切に変化させることが望ましい。
【０００６】
本開示の目的は、撮影状況に応じた適切な情報表示を行うことができるようにした撮像装置を提供することにある。
【課題を解決するための手段】
【０００７】
本開示による撮像装置は、本体と、本体に対して、表示面が背面側に向く第１の状態と表示面が前面側に向く第２の状態とに回動可能な表示部と、表示部が第２の状態である場合に、本体の傾きを認識可能に水準器を表示させると共に、所定の撮影情報を第１の状態に対して上下左右方向に反転表示させる表示制御部とを備えたものである。
【０００８】
本開示による撮像装置では、表示部の状態に応じて、水準器の表示状態と、水準器以外の所定の撮影情報の表示状態とが適切に制御される。
【発明の効果】
【０００９】
本開示の撮像装置によれば、表示部の状態に応じて、水準器の表示状態と、水準器以外の所定の撮影情報の表示状態とを適切に制御するようにしたので、撮影状況に応じた適切な情報表示を行うことができる。
なお、ここに記載された効果は必ずしも限定されるものではなく、本開示中に記載されたいずれかの効果であってもよい。
【図面の簡単な説明】
【００１０】
【図１】本開示の一実施の形態に係る撮像装置を前面側から見た構成を表す斜視図である。
【図２】図１に示した撮像装置を背面側から見た構成を表す斜視図である。
【図３】図１に示した収納位置において本体内のビューファインダーの配置を説明するための正面図である。
【図４】図１に示した撮像装置においてビューファインダーを収納位置から本体の上方に突出させた状態を表す斜視図である。
【図５】図４に示した撮像装置を背面側から見た構成を表す斜視図である。
【図６】図４に示した撮像装置においてビューファインダーを本体の後方（背面側）に進出させて使用位置とした状態を表す斜視図である。
【図７】図６に示した撮像装置を背面側から見た構成を表す斜視図である。
【図８】表示部の第２の状態の一例を示す斜視図である。
【図９】表示部の第２の状態の一例を示す正面図である。
【図１０】コントロールホイールの詳細を示す説明図である。
【図１１】本体の姿勢位置の態様の一例を示す説明図である。
【図１２】制御系回路の一構成例を示すブロック図である。
【図１３】表示部に表示されるアイコン等の一例を示す説明図である。
【図１４】表示部が第２の状態にあり、かつビューファインダーが上方に突出している状態における表示エリアの一例を示す正面図である。
【図１５】表示部が第２の状態にあり、かつビューファインダーが上方に突出している状態におけるアイコンの表示例を示す説明図である。
【図１６】コントロールリングを操作した場合に表示されるアーチ状メニュー表示の一例を示す説明図である。
【図１７】表示面の向きが背面側（表示部が第１の状態）である場合のコントロールリングの操作方向とアーチ状メニュー表示の変化の方向との対応関係の一例を示す説明図である。
【図１８】表示面の向きが前面側（表示部が第２の状態）である場合のコントロールリングの操作方向とアーチ状メニュー表示の変化の方向との対応関係の一例を示す説明図である。
【図１９】電子水準器の一例を示す説明図である。
【図２０】本体が傾いた場合の電子水準器の表示例を示す説明図である。
【図２１】表示面の向きが背面側（表示部が第１の状態）である場合の電子水準器およびその他のアイコンの表示例を示す説明図である。
【図２２】表示面の向きが前面側（表示部が第２の状態）である場合の電子水準器およびその他のアイコンの表示例（表示反転前）を示す説明図である。
【図２３】表示面の向きが前面側（表示部が第２の状態）である場合の電子水準器およびその他のアイコンの表示例（表示反転後）を示す説明図である。
【発明を実施するための形態】
【００１１】
以下、本開示の実施の形態について図面を参照して詳細に説明する。なお、説明は以下の順序で行う。
＜１．構成＞
［１．１  撮像装置の全体構成例］（図１〜図１１）
［１．２  制御系の構成例］（図１２〜図１３）
＜２．動作＞
［２．１  撮像装置の基本動作例］
［２．２  表示部の表示例］（図１４〜図２３）
＜３．効果＞
＜４．その他の実施の形態＞
【００１２】
＜１．第１の実施の形態＞
［１．１  撮像装置の全体構成例］
図１は、本開示の一実施の形態に係る撮像装置１を前方から見た構成を表したものである。図２は、この撮像装置１を後方から見た構成を表したものである。この撮像装置１は、例えば小型デジタル一眼カメラであり、本体１０と、ビューファインダー２０とを有している。ビューファインダー２０は、図３に示したように、非使用時には本体１０内の収納位置Ｐ１に収納されており、使用時には本体１０外の使用位置Ｐ２に突出（ポップアップ）するようになっている。
【００１３】
本体１０は、例えば横長の略直方体の形状で、前面１０Ａ、背面１０Ｂ、上面１０Ｃ、および側面１０Ｄを有している。本体１０の前面１０Ａには、ボディマウント１１が設けられている。また、本体１０の内部には、後述の図１２に示す撮像素子１１２や信号処理部１０２等の各種の制御系回路が収納されている。本体１０の側面１０Ｄにはビューファインダー２０をポップアップさせるためのビューファインダー操作部１０Ｅが設けられている。
【００１４】
本体１０の上面１０Ｃには、電源ボタン１５およびシャッタボタン１６が設けられている。本体１０の背面１０Ｂには、表示部１２が設けられている。本体１０の背面１０Ｂにはまた、複数の操作ボタン１７と、コントロールホイール１８とが設けられている。コントロールホイール１８は、表示部１２の表示内容を操作方向によって選択可能な方向選択部の１つであってもよい。コントロールホイール１８は、例えば図１０に示したように、上下左右方向において操作ボタン１８Ａとしての機能を有していてもよい。コントロールホイール１８はまた、右回りおよび左回りに操作方向を変化させることが可能なリング状操作部の１つであってもよい。例えば、表示部１２に表示する所定の撮影情報等の表示内容をコントロールホイール１８の操作方向によって選択可能となっていてもよい。
【００１５】
本体１０の背面１０Ｂにはまた、ビューファインダー２０の近辺にアイセンサ６０が設けられている。アイセンサ６０は、例えば磁気センサによって、使用者（撮像者）がビューファインダー２０を覗いているか否かを検知するものである。
【００１６】
なお、図１および図２において、前方は本体１０の前面側であり、本体１０の前後方向Ｚにおいてレンズ側、被写体側とする。後方は本体１０の背面側とする。なお、前後方向Ｚは、本体１０に取り付けられる後述の図１２に示す撮像レンズ１１１の光軸方向と同じであってもよい。また、本体１０の左右方向をＸ方向とし、本体１０の上下方向をＹ方向とする。以降の他の図についても同様である。
【００１７】
ボディマウント１１は、本体１０と後述の図１２に示す交換式の撮像レンズ１１１との機械的または電気的な接続を行うものであり、使用者は用途に合わせて交換式の撮像レンズ１１１を選択して本体１０に接続可能となっている。なお、図１ではボディマウント１１にキャップ１１Ａをかぶせた状態を表している。
【００１８】
ボディマウント１１にはまた、コントロールリング１９が設けられている。コントロールリング１９は、表示部１２の表示内容を操作方向によって選択可能な方向選択部の１つであってもよい。コントロールリング１９は、右回りおよび左回りに操作方向を変化させることが可能なリング状操作部の１つであってもよい。例えば、表示部１２に表示する所定の撮影情報等の表示内容をコントロールリング１９の操作方向によって選択可能となっている。
【００１９】
ビューファインダー２０は、撮影される像を目視確認して構図設定やピント合わせ等を行うためのものであり、ＯＶＦ（光学ビューファインダー）またはＥＶＦ（電子ビューファインダー）により構成されている。例えば電子ビューファインダーの場合には、覗き窓２１（図１ないし図３には図示せず、図７参照。）の奥に、接眼レンズ（図示せず）および液晶や有機ＥＬ（Electro Luminescence）などの表示画面（図示せず）を有する。
【００２０】
また、ビューファインダー２０は、本体１０内に収納された収納位置Ｐ１と本体１０外に突出した使用位置Ｐ２との間で、二以上の方向に可動である。これにより、この撮像装置１では、小型化が可能となっている。
【００２１】
ビューファインダー２０は、互いに直交する二方向に可動であることが好ましい。具体的には、ビューファインダー２０は、収納位置Ｐ１（図１ないし図３参照。）から、図４および図５の矢印Ａ１に示したように、本体１０の上方に伸長（突出）したのち、図６および図７の矢印Ａ２に示したように、本体１０の後方（接眼方向）に進出して使用位置Ｐ２に至ることが好ましい。ビューファインダー２０を本体１０の上方に突出させることにより、使用位置Ｐ２は本体１０の上方に位置する。これにより、ビューファインダー２０が鏡筒や表示部１２の上方に位置する通常のデジタル一眼カメラの構成に近付け、使用者にとっての使いやすさを向上させることが可能となる。また、ビューファインダー２０を本体１０の後方に進出させることにより、眼までのクリアランスを小さくし、遮光性を高めることが可能となる。
【００２２】
ビューファインダー２０の本体１０の後方への進出量としては、例えば、ビューファインダー２０の接眼面２２Ａが本体１０の背面１０Ｂ（表示部１２）よりも後方に突出することが好ましい。これにより、眼とのクリアランスが小さくなると共に、使用者の鼻が表示部１２に当たってしまうおそれが小さくなり、使いやすさが向上する。
【００２３】
本体１０は、上面１０Ｃに、ビューファインダー２０が本体１０に出入りする開口部１３を有することが好ましい。これにより、ビューファインダー２０が本体１０に出入りする開口部２１を本体１０の背面１０Ｂ以外に設けることが可能となり、鏡筒の大口径化、表示部１２の大画面化への対応が容易になる。ちなみに、開口部１３を本体１０の背面１０Ｂに設ける場合には、本体１０のサイズを大きくするか、あるいは本体１０のサイズを同じにするなら、鏡筒は小さくなり、それにより倍率は低く、明るさは暗く、撮像素子のサイズも小さくなる。また、表示部１２のサイズも小さくなる。
【００２４】
なお、図１ないし図３に示した開口部１３の位置は、通常のデジタル一眼カメラではストロボが配置される場所である。本実施の形態ではストロボ１４の配置を変更し、開口部１３よりも中央寄りの位置に配置している。
【００２５】
ビューファインダー２０は、上述した図３に示したように、ボディマウント１１を回避して設けられていることが好ましい。これにより、ビューファインダー２０と鏡筒との干渉を回避することが可能となる。なお、ビューファインダー２０は、背面視において表示部１２と重なっていてもよい。
【００２６】
ビューファインダー２０には、視度調整部２６（図６および図７参照。）が設けられている。視度調整部２６は、使用者の視力に合わせてビューファインダー２０の度数を調整するための操作部（レバー、つまみ、ダイヤル等）である。視度調整部２６は、ビューファインダー２０を構成するビューファインダーユニットの上面に設けられていることが好ましい。また、視度調整部２６は、収納位置Ｐ１では本体１０内に隠蔽され（図１ないし図３参照。）、使用位置Ｐ２では露出して操作可能となる（図６および図７参照。）ことが好ましい。このように視度調整部２６へのアクセスを限定することにより、意図せず視度調整部２６が操作されて設定変更されてしまうことを避けることが可能となる。また、視度調整部２６のビューファインダーユニットの上面からの突出量が小さくなり、ビューファインダー２０を使用位置Ｐ２から収納位置Ｐ１に復帰させても設定がリセットされるおそれが小さくなる。よって、使用の都度、視度調整部２６を調整し直す煩雑さを省き、使用者の利便性を高めることが可能となる。
【００２７】
表示部１２は、例えば液晶パネルにより構成されている。表示部１２は、撮影に関する各種の所定の撮影情報を表示可能となっている。所定の撮影情報としては、後述の図１３に示すような、被写体２のライブビュー画像やアイコン状の表示であってもよい。また、装置の設定に関する各種のメニュー表示や、後述する図１９等に示す電子水準器９１等を表示してもよい。
【００２８】
表示部１２は、図８および図９に示したように、本体１０に対して、表示面１２Ａが背面側に向く第１の状態と、表示面１２Ａが前面側に向く第２の状態とに回動可能となっている。表示部１２は例えば図８に示したように、本体１０の上部の一辺を軸にして１８０度回動するようになっている。
【００２９】
表示部１２を第２の状態にすることで、撮像レンズ１１１（図１２）を撮像者自身の方向に向けて撮像者自身を撮影する、いわゆる「自分撮り」を容易に行うことができる。撮像者は、自分を含めた被写体２のスルー画を表示部１２で確認しながら、撮影を行うことができる。
【００３０】
なお、この撮像装置１では、自分撮りを行う場合等に、撮像者の好みに応じて、図１１の上段に示したように本体１０を横向きの姿勢位置にした撮影と、図１１の下段に示したように本体１０を縦向きの姿勢位置にした撮影とを適宜選択可能である。
【００３１】
［１．２  制御系の構成例］
図１２は、撮像装置１の制御系回路の一構成例を示している。
撮像装置１は、制御系回路として、制御部１０１と、信号処理部１０２と、表示制御部１０３と、画像記録部１０４と、操作部１０５と、検知部１０６とを備えている。撮像装置１はさらに、撮像レンズ１１１および撮像素子１１２を含む撮像部１１０と、レンズ駆動部１１３とを備えている。検知部１０６は、アイセンサ６０と、表示部回転検知部１０７と、姿勢検知部１０８とを有している。
【００３２】
撮像レンズ１１１は、光学的な被写体像を撮像素子１１２上に形成するものである。撮像レンズ１１１は、複数のレンズを有し、レンズを移動させることにより、光学的なズーム倍率やフォーカスの調節等が可能となっている。撮像素子１１２は、撮像レンズ１１１を通して被写体像を受光面に結像させて光電変換により電気信号を生成するものであり、例えばＣＭＯＳ（Complementary Metal Oxide Semiconductor）イメージセンサにより構成されている。レンズ駆動部１１３は、光学的なズーム倍率、Ｆ値、およびフォーカスの調節等のために撮像レンズ１１１のレンズを駆動するものである。
【００３３】
信号処理部１０２は、撮像素子１１２から出力された撮像信号に各種の信号処理を施し、ビューファインダー２０および表示部１２に表示する画像データや、画像記録部１０４によって記録される画像データの生成を行うものである。
【００３４】
画像記録部１０４は、図示しない本体内部の記録媒体または外部の記録媒体に画像データを記録するものである。
【００３５】
操作部１０５は、上述の図１〜図１０に示した電源ボタン１５、シャッタボタン１６、操作ボタン１７、コントロールホイール１８、操作ボタン１８Ａ、およびコントロールリング１９を含んでいる。
【００３６】
制御部１０１は、撮像装置１の各部の統括制御を行うものである。制御部１０１は、撮影モードに応じた制御を行う撮像制御部としての機能を有している。撮影モードの１つとして例えば、撮像開始指示がなされてから所定の時間が経過した後に実際の撮像処理を実行するセルフタイマーモードがある。
【００３７】
表示制御部１０３は、ビューファインダー２０および表示部１２に対する表示制御を行うものである。表示制御部１０３は例えば、ビューファインダー２０および表示部１２において表示する、撮影に関する各種の撮影情報の表示制御を行う。例えば、図１３に示すような、被写体２のライブビュー画像やアイコン状の表示の制御を行う。また、装置の設定に関する各種のメニュー表示や、後述する図１９等に示す電子水準器９１等の表示制御を行う。表示制御部１０３は、制御部１０１の制御に基づき、表示部１２に文字、画像その他の各種情報を表示させるための表示制御を実行する。表示部１２は、表示制御部１０３により表示が制御される文字、画像その他の各種情報を表示する。
【００３８】
ここで、図１３では、表示部１２にアイコン群７１、アイコン群７２、アイコン群７３、セルフタイマー用アイコン８０および被写体２のライブビュー画像を表示した例を示している。セルフタイマー用アイコン８０としては、撮影モードがセルフタイマーモードであることを示す撮影モードアイコン８１と、セルフタイマーモード中の時間経過を示すカウントダウンアイコン８２とを含んでいてもよい。カウントダウンアイコン８２は、例えば時間経過を秒数単位でカウントダウン形式で表示するものである。
【００３９】
表示部回転検知部１０７は、表示部１２の状態を検出するためのセンサを有している。表示部回転検知部１０７は少なくとも、表示部１２が第１の状態（表示面１２Ａの向きが背面側）および第２の状態（表示面１２Ａの向きが前面側）のいずれであるかを検出するようになっている。
【００４０】
姿勢検知部１０８は、撮像装置１の本体１０の姿勢を検出するためのセンサを有している。本体１０の姿勢を検出するためのセンサとしては、加速度センサやジャイロセンサなどが挙げられる。または、例えば、角度センサや、いわゆる縦横センサにより本体１０の角度を検出するようにしてもよい。姿勢検知部１０８は少なくとも、本体１０が横向きの姿勢位置および縦向きの姿勢位置のいずれであるかを検出するようになっている。姿勢検知部１０８はまた、後述する図１９等に示す電子水準器９１を使用する場合の水平位置（水平線Ｈ）の検出を行うようになっている。
【００４１】
＜２．動作＞
［２．１  撮像装置の基本動作例］
この撮像装置１は、例えば次のように動作する。
【００４２】
この撮像装置１では、被写体２の構図をビューファインダー２０または表示部１２によって確認しつつ撮影を行うことができる。撮像装置１の電源オン・オフは電源ボタン１５の操作によって行うことができる。また、特にビューファインダー２０を使用する場合には、ビューファインダー２０のポップアップ動作に応じて自動的に電源オン・オフを行うこともできる。
【００４３】
ここで、ビューファインダー２０は、非使用時には本体１０内の収納位置Ｐ１に収まっている（図１ないし図３参照。）。ビューファインダー２０の使用時には、使用者は本体１０の側面１０Ｄのビューファインダー操作部１０Ｅをスライドさせると、ビューファインダー２０を構成するビューファインダーユニットが本体１０外にポップアップする（図４および図５参照）。ビューファインダー２０の使用位置Ｐ２では、視度調整部２６が露出して操作可能となる。
【００４４】
この撮像装置１では、ビューファインダー２０を、本体１０内に収納された収納位置Ｐ１と本体１０外に突出した使用位置Ｐ２との間で、二以上の方向に可動としている。よって、ビューファインダー２０が本体１０に出入りする開口部１３を本体１０の背面１０Ｂ以外に設けることが可能となり、鏡筒の大口径化、表示部１２の大画面化に対応しつつ本体１０を小型化することが可能となる。
【００４５】
［２．２  表示部の表示例］
次に、例えば自分撮りの際に好適な表示部１２の表示例を説明する。表示制御部１０３は、表示部１２が第２の状態（表示面１２Ａの向きが前面側）である場合に、ビューファインダー２０の収納状態に応じて、表示部１２の表示状態を変化させてもよい。
なお、以下の説明において、ビューファインダー２０が上方に突出している状態とは、ビューファインダー２０が本体１０の上方（図４および図５の矢印Ａ１の方向）にのみ突出した状態であってもよいし、さらに、その状態から接眼面２２Ａが本体１０の背面側（図６および図７の矢印Ａ２の方向）に進出した状態のいずれであってもよい。
【００４６】
図１４は、表示部１２が第２の状態にあり、かつビューファインダー２０を上方に突出している状態における表示エリアの一例を示している。表示制御部１０３は、表示部１２が第２の状態にあり、かつ、ビューファインダー２０が本体１０の上方に突出している状態では、図１４に示したように前面側から見てビューファインダー２０と表示部１２とが重なる部分以外の領域を表示エリア１２Ｂにしてもよい。この表示エリア１２Ｂに、被写体２のライブビュー画像の表示やアイコン表示等を行ってもよい。
【００４７】
図１５は、表示部１２が第２の状態にあり、かつビューファインダー２０を上方に伸長している状態におけるアイコンの表示例を示している。表示制御部１０３は、表示部１２が第２の状態にあり、かつ、ビューファインダー２０が本体１０の上方に突出している状態では、図１５の下段に示したように、前面側から見てビューファインダー２０と表示部１２とが重なる部分以外の領域に複数のアイコンを表示させるようにしてもよい。例えば、図１５の上段の表示状態から下段の表示状態のように、セルフタイマー用アイコン８０とアイコン群７３とが前面側から見てビューファインダー２０に重ならないように表示位置を移動させてもよい。
【００４８】
（アーチ状メニュー表示の表示例）
表示制御部１０３は、表示部１２の表示内容を操作部１０５の指示に応じて変化させると共に、表示部１２の第１の状態と第２の状態とで、操作部１０５による指示状態と表示内容との対応関係を変化させてもよい。
【００４９】
操作部１０５が、表示部１２の表示内容をボタン位置によって選択可能な複数の操作ボタンである場合、表示制御部１０３は、表示部１２の表示内容を複数の操作ボタンの操作に応じて変化させてもよい。表示制御部１０３はまた、表示部１２の第１の状態と第２の状態とで、複数の操作ボタンと表示部１２の表示内容との対応関係を変化させてもよい。
【００５０】
操作部１０５が、表示部１２の表示内容を操作方向によって選択可能な方向選択部である場合、表示制御部１０３は、表示部１２の表示内容を操作方向に応じて変化させてもよい。表示制御部１０３はまた、表示部１２の第１の状態と第２の状態とで、方向選択部の操作方向と表示内容との対応関係を変化させてもよい。
【００５１】
ここで、図１６〜図１８を参照して、方向選択部が、右回りおよび左回りに操作方向を変化させることが可能なリング状操作部である場合の表示例を説明する。
【００５２】
図１６は、コントロールリング１９を操作した場合に表示されるアーチ状メニュー表示９２の一例を示している。表示制御部１０３は、コントロールリング１９が操作された場合に、例えば図１６に示したようなアーチ状のメニュー表示を行う。図１６の表示例では、アーチ状メニュー表示９２として単純に、−３，−２，−１，０，１，２，…という数値を表示した例を示しているが、これに代えてＦ値やズーム倍率等の撮影に関する情報をアーチ状に表示しても良い。また、各種のメニューアイコンを表示してもよい。コントロールリング１９に割り当てる機能の内容は、他の操作部１０５から変えることができるようになっていてもよい。また例えばコントロールリング１９にズーム倍率が割り当てられた場合、コントロールリング１９の操作とレンズ駆動部１１３とが連動することで、撮像レンズ１１１のズーミングがなされるようになっていもよい。
【００５３】
図１７は、表示面１２Ａの向きが背面側（表示部１２が第１の状態）である場合のコントロールリング１９の操作方向とアーチ状メニュー表示９２の変化の方向との対応関係の一例を示している。コントロールリング１９の操作に応じて、アーチ状メニュー表示９２の表示内容は変化する。図１７の例では、コントロールリング１９を前面側から見て右回り（背面側から見て左回り）に操作している。この場合、表示制御部１０３は例えば、アーチ状メニュー表示９２の表示内容を左回りに変化させる。
【００５４】
図１８は、表示面１２Ａの向きが前面側（表示部１２が第２の状態）である場合のコントロールリング１９の操作方向とアーチ状メニュー表示９２の変化の方向との対応関係の一例を示している。図１８の例では、図１７の例と同様にコントロールリング１９を前面側から見て右回り（背面側から見て左回り）に操作している。しかしながら図１８の例では表示面１２Ａの向きが前面側となっているので、表示制御部１０３は例えば、アーチ状メニュー表示９２の表示内容を図１７の例とは逆方向、右回りに変化させる。
【００５５】
なお、ここでは方向選択部がコントロールリング１９である場合を例を示したが、コントロールホイール１８等の他の操作部１０５についても同様の表示制御を行ってもよい。また、ここではアーチ状のメニュー表示である場合を例を示したが、表示態様はアーチ状に限定されるものではない。
【００５６】
（電子水準器の表示例）
図１９は、電子水準器９１の表示例を示している。図２０は、図１９の表示例に対して本体１０が傾いた場合の電子水準器９１の表示例を示している。表示制御部１０３は、図１９および図２０に示したように、水平線Ｈに対する本体１０の傾きが分かるような電子水準器９１を表示部１２に表示する。
【００５７】
ここで、表示制御部１０３は、表示部１２の第１の状態と第２の状態との双方で本体１０の傾きを認識可能に電子水準器９１を表示させる。表示制御部１０３はまた、表示部１２の第１の状態と第２の状態とで、電子水準器９１以外の所定の撮影情報の表示（アイコン表示等）を互いに上下左右方向に反転表示させる。
【００５８】
図２１は、表示面１２Ａの向きが背面側（表示部１２が第１の状態）である場合の電子水準器９１およびその他のアイコンの表示例を示している。これに対して、図２２は、表示面１２Ａの向きが前面側（表示部１２が第２の状態）である場合の電子水準器９１およびその他のアイコンの表示例（表示反転前）を示している。図２３は、表示面１２Ａの向きが前面側（表示部１２が第２の状態）である場合の電子水準器９１およびその他のアイコンの表示例（表示反転後）を示している。
【００５９】
図２１の表示状態から表示部１２が第２の状態になった場合、そのままの表示状態では、前面側から見て図２２に示したように電子水準器９１およびアイコン群７１〜７３の表示が上下左右反転して見えることになる。このため、表示制御部１０３は、図２３に示したように、前面側から見て正常に見えるようにアイコン群７１〜７３の表示を上下左右反転させる。ただし、電子水準器９１については単純に表示を上下左右反転させると、本体１０の傾きを正常に表せなくなる。このため、表示制御部１０３は、電子水準器９１については単純に表示を上下左右反転させるのではなく、本体１０の傾きを正常に認識可能に調整して表示させる。
【００６０】
＜３．効果＞
本実施の形態によれば、例えば、表示部１２の状態に応じて、電子水準器９１の表示状態と、電子水準器９１以外の所定の撮影情報の表示状態とを適切に制御するようにしたので、撮影状況に応じた適切な情報表示を行うことができる。
【００６１】
なお、本明細書に記載された効果はあくまでも例示であって限定されるものではなく、また他の効果があってもよい。
【００６２】
＜４．その他の実施の形態＞
本開示による技術は、上記実施の形態の説明に限定されず種々の変形実施が可能である。
【００６３】
例えば、本技術は以下のような構成を取ることができる。
（１）
本体と、
前記本体に対して、表示面が背面側に向く第１の状態と前記表示面が前面側に向く第２の状態とに回動可能な表示部と、
前記表示部が前記第２の状態である場合に、前記本体の傾きを認識可能に水準器を表示させると共に、所定の撮影情報を前記第１の状態に対して上下左右方向に反転表示させる表示制御部と
を備えた撮像装置。
（２）
前記所定の撮影情報の表示内容を指示する操作部をさらに備え、
前記表示制御部は、前記表示内容を前記操作部の指示に応じて変化させると共に、前記第１の状態と前記第２の状態とで、前記操作部による指示状態と前記表示内容との対応関係を変化させる
上記（１）に記載の撮像装置。
（３）
前記操作部として、前記表示内容を操作方向によって選択可能な方向選択部を有し、
前記表示制御部は、前記表示内容を前記操作方向に応じて変化させると共に、前記第１の状態と前記第２の状態とで、前記操作方向と前記表示内容との対応関係を変化させる
上記（２）に記載の撮像装置。
（４）
前記方向選択部は、右回りおよび左回りに操作方向を変化させることが可能なリング状操作部である
上記（３）に記載の撮像装置。
（５）
前記操作部として、前記表示内容をボタン位置によって選択可能な複数の操作ボタンを有し、
前記表示制御部は、前記表示内容を前記複数の操作ボタンの操作に応じて変化させると共に、前記第１の状態と前記第２の状態とで、前記複数の操作ボタンと前記表示内容との対応関係を変化させる
上記（２）ないし（４）のいずれか１つに記載の撮像装置。
（６）
前記所定の撮影情報の表示として、被写体のライブビュー画像の表示を含む
上記（１）ないし（５）のいずれか１つに記載の撮像装置。
（７）
前記所定の撮影情報の表示として、アイコン状の表示を含む
上記（１）ないし（６）のいずれか１つに記載の撮像装置。
（８）
前記本体内に収納され、使用時に前記本体の上方に突出するビューファインダーをさらに備え、
前記表示制御部は、前記表示部が前記第２の状態である場合に、前記ビューファインダーの収納状態に応じて、前記表示部の表示状態を変化させる
上記（１）ないし（７）のいずれか１つに記載の撮像装置。
（９）
前記表示制御部は、前記表示部が前記第２の状態にあり、かつ、前記ビューファインダーが前記本体の上方に突出している状態では、前記前面側から見て前記ビューファインダーと前記表示部とが重なる部分以外の領域を前記所定の撮影情報の表示エリアにする
上記（８）に記載の撮像装置。
【符号の説明】
【００６４】
１…撮像装置、２…被写体、１０…本体、１０Ａ…前面、１０Ｂ…背面、１０Ｃ…上面、１０Ｄ…側面、１０Ｅ…ビューファインダー操作部、１１…ボディマウント、１１Ａ…キャップ、１２…表示部、１２Ａ…表示面、１２Ｂ…表示エリア、１３…開口部、１４…ストロボ、１５…電源ボタン、１６…シャッタボタン、１７…操作ボタン、１８…コントロールホイール（方向選択部、リング状操作部、操作ボタン）、１８Ａ…操作ボタン、１９…コントロールリング（方向選択部、リング状操作部）、２０…ビューファインダー、２１…覗き窓、２２Ａ…接眼面、２６…視度調整部、６０…アイセンサ、７１…アイコン群、７２…アイコン群、７３…アイコン群、８０…セルフタイマー用アイコン、８１…撮影モードアイコン、８２…カウントダウンアイコン、９１…電子水準器、９２…アーチ状メニュー表示、１０１…制御部、１０２…信号処理部、１０３…表示制御部、１０４…画像記録部、１０５…操作部、１０６…検知部、１０７…表示部回転検知部、１０８…姿勢検知部、１１０…撮像部、１１１…撮像レンズ、１１２…撮像素子、１１３…レンズ駆動部、Ｈ…水平線、Ｐ１…収納位置、Ｐ２…使用位置。
【図１】
2015228537.tif 000003
【図２】
2015228537.tif 000004
【図３】
2015228537.tif 000005
【図４】
2015228537.tif 000006
【図５】
2015228537.tif 000007
【図６】
2015228537.tif 000008
【図７】
2015228537.tif 000009
【図８】
2015228537.tif 000010
【図９】
2015228537.tif 000011
【図１０】
2015228537.tif 000012
【図１１】
2015228537.tif 000013
【図１２】
2015228537.tif 000014
【図１３】
2015228537.tif 000015
【図１４】
2015228537.tif 000016
【図１５】
2015228537.tif 000017
【図１６】
2015228537.tif 000018
【図１７】
2015228537.tif 000019
【図１８】
2015228537.tif 000020
【図１９】
2015228537.tif 000021
【図２０】
2015228537.tif 000022
【図２１】
2015228537.tif 000023
【図２２】
2015228537.tif 000024
【図２３】
2015228537.tif 000025